(57)【要約】【課題】  視覚障害者は、点字を指先で触って情報を読み取るが、外出先等ではどこに点字による案内板等があるのかがわからなかったり、手袋をしていたり指先をけがしていたりすると点字を読み取ることができなかったりする。【解決手段】  固有の番号を記憶しているＩＣタグ４１が、固有の番号を無線通信で送信し、携帯電話機２０に接続されたＩＣタグ読取機２１または専用端末２３が、ＩＣタグ４１が送信した固有の番号を受信する。携帯電話機２０または専用端末２３は、受信した固有の番号を検索解析装置１０に送信し、検索解析装置１０は、予め固有の番号に対応づけて記憶している情報を音声情報に変換して携帯電話機２０または専用端末２３に送信する。携帯電話機２０または専用端末２３は、受信した音声情報をヘッドフォン２２を介して出力する。【選択図】  図１
2006030617.tif 000002
【特許請求の範囲】
【請求項１】
点字が記載された点字シートに埋め込まれ、固有の文字列を記憶し、記憶している前記固有の文字列を無線通信で送信するＩＣタグと、
前記ＩＣタグが送信した前記固有の文字列を受信する携帯情報端末と、
前記固有の文字列と、前記携帯情報端末のユーザに提供する情報である提供情報とを対応づけて記憶する検索解析装置とを備え、
前記携帯情報端末は、前記固有の文字列を受信すると、受信した前記固有の文字列を前記検索解析装置に送信し、
前記検索解析装置は、前記携帯情報端末から前記固有の文字列を受信すると、前記固有の文字列に対応づけられた前記提供情報を音声情報に変換して前記携帯情報端末に送信し、
前記携帯情報端末は、前記検索解析装置から前記音声情報を受信すると、前記音声情報に従って音声を出力する
ことを特徴とする点字内容照会システム。
【請求項２】
検索解析装置は、音声情報に用いる言語を携帯情報端末のユーザに応じて記憶し、提供情報を前記音声情報に変換する際に、前記ユーザに応じた言語の前記音声情報に変換して前記携帯情報端末に前記音声情報を送信する
請求項１記載の点字内容照会システム。
【請求項３】
検索解析装置は、携帯情報端末から固有の文字列を受信すると、前記固有の文字列に対応づけられた提供情報を前記携帯情報端末に送信し、
前記携帯情報端末は、前記検索解析装置から前記提供情報を受信すると、受信した前記提供情報を表示手段に表示させる
請求項１または請求項２記載の点字内容照会システム。
【請求項４】
検索解析装置に、固有の文字列と提供情報とを対応づけて記憶させる登録用端末を備えた
請求項１から請求項３のうちいずれか１項記載の点字内容照会システム。
【請求項５】
検索解析装置は、固有の文字列を記憶しているＩＣタグが埋め込まれている点字シートに点字で記載されている内容を含む提供情報を、前記固有の文字列に対応づけて記憶している
請求項１から請求項４のうちいずれか１項記載の点字内容照会システム。
【請求項６】
点字が記載された点字シートに埋め込まれ、固有の文字列を記憶し、記憶している前記固有の文字列を無線通信で送信するＩＣタグと、前記ＩＣタグが送信した前記固有の文字列を受信する携帯情報端末と、前記固有の文字列と、前記携帯情報端末のユーザに提供する情報である提供情報とを対応づけて記憶する検索解析装置とを備えた点字内容照会システムの前記検索解析装置に搭載される点字内容照会プログラムであって、
コンピュータに、
前記携帯情報端末から、前記携帯情報端末が受信した前記固有の文字列を受信させる処理と、
前記携帯情報端末から前記固有の文字列を受信すると、前記固有の文字列に対応づけられた前記提供情報を音声情報に変換して前記携帯情報端末に送信させる処理とを実行させる
ことを特徴とする点字内容照会プログラム。
【発明の詳細な説明】
【技術分野】
【０００１】
本発明は、点字で記載されている内容を音声で出力する点字内容照会システム、および点字内容照会プログラムに関する。
【背景技術】
【０００２】
視覚障害者は、点字を指先で触って情報を読み取るが、外出先等ではどこに点字による案内板等があるのかがわからなかったり、手袋をしていたり指先をけがしていたりすると点字を読み取ることができなかったりするという問題がある。また、一般に、案内板等の点字は簡単な説明のみである（情報量が少ない）ため、視覚障害者が理解することが難しい場合がある。
【０００３】
なお、視覚障害者端末の要求に応じて、文献等に記載されている文字を点字や音声情報等に変換して、電気通信回線を介して提供するシステムが提案されている（例えば、特許文献１参照）。
【０００４】
乗車区間等を点字で示す点字カードを用いて乗車券を購入することができる自動券売機が提案されている（例えば、特許文献２参照。）
【０００５】
【特許文献１】特開２００２−３２０１３号公報  （段落（００１８）〜（００３７）、図１）
【特許文献２】特開２００３−７７０１４号公報  （段落（０００７）〜（００１５）、図１）
【発明の開示】
【発明が解決しようとする課題】
【０００６】
しかし、特許文献１に記載されているシステムは、文献等に記載されている文字の点字や音声情報等への変換を行うが、日常生活への対応（例えば、道案内等）を考慮していない。
【０００７】
また、特許文献２に記載されている自動券売機は、視覚障害者が所望の乗車券を購入することを可能にするが、視覚障害者がどのようにしてその自動券売機まで行くのかや、乗車券を購入した視覚障害者がどのようにして目的地に行く列車が入線するプラットホームまで行くのかについて、何ら考慮していない。
【０００８】
そこで、本発明は、点字で記載されている内容を音声で出力する点字内容照会システム、および点字内容照会プログラムを提供することを目的とする。
【課題を解決するための手段】
【０００９】
本発明による点字内容照会システムは、点字が記載された点字シートに埋め込まれ、固有の文字列を記憶し、記憶している固有の文字列を無線通信で送信するＩＣタグと、ＩＣタグが送信した固有の文字列を受信する携帯情報端末と、固有の文字列と、携帯情報端末のユーザに提供する情報である提供情報とを対応づけて記憶する検索解析装置とを備え、携帯情報端末は、固有の文字列を受信すると、受信した固有の文字列を検索解析装置に送信し、検索解析装置は、携帯情報端末から固有の文字列を受信すると、固有の文字列に対応づけられた提供情報を音声情報に変換して携帯情報端末に送信し、携帯情報端末は、検索解析装置から音声情報を受信すると、音声情報に従って音声を出力することを特徴とする。
【００１０】
検索解析装置は、音声情報に用いる言語を携帯情報端末のユーザに応じて記憶し、提供情報を音声情報に変換する際に、ユーザに応じた言語の音声情報に変換して携帯情報端末に音声情報を送信してもよい。そのような構成によれば、携帯情報端末は、ユーザに応じた言語の音声情報を出力することができる。
【００１１】
検索解析装置は、携帯情報端末から固有の文字列を受信すると、固有の文字列に対応づけられた提供情報を携帯情報端末に送信してもよく、携帯情報端末は、検索解析装置から提供情報を受信すると、受信した提供情報を表示手段に表示させてもよい。そのような構成によれば、携帯情報端末は、提供情報を表示手段に表示させることができる。
【００１２】
検索解析装置に、固有の文字列と提供情報とを対応づけて記憶させる登録用端末を備えてもよい。
【００１３】
検索解析装置は、固有の文字列を記憶しているＩＣタグが埋め込まれている点字シートに点字で記載されている内容を含む提供情報を、固有の文字列に対応づけて記憶していてもよい。
【００１４】
本発明による点字内容照会プログラムは、点字が記載された点字シートに埋め込まれ、固有の文字列を記憶し、記憶している固有の文字列を無線通信で送信するＩＣタグと、ＩＣタグが送信した固有の文字列を受信する携帯情報端末と、固有の文字列と、携帯情報端末のユーザに提供する情報である提供情報とを対応づけて記憶する検索解析装置とを備えた点字内容照会システムの検索解析装置に搭載される点字内容照会プログラムであって、コンピュータに、携帯情報端末から、携帯情報端末が受信した固有の文字列を受信させる処理と、携帯情報端末から固有の文字列を受信すると、固有の文字列に対応づけられた提供情報を音声情報に変換して携帯情報端末に送信させる処理とを実行させることを特徴とする。
【発明の効果】
【００１５】
本発明によれば、点字シートに点字で記載されている内容を、携帯情報端末が音声で出力することができる。
【発明を実施するための最良の形態】
【００１６】
本発明の実施の形態について図面を参照して説明する。図１は、本発明の実施の形態の一構成例を説明する説明図である。
【００１７】
本発明の実施の形態は、固有の番号（ユニークな番号）の情報である固有番号情報を記憶し、記憶している情報を無線通信を介して送信するＩＣタグ４１が埋め込まれている点字シート４０、ＩＣタグ４１が送信した情報を受信するＩＣタグ読取機２１、ＩＣタグ読取機２１と音声を出力するヘッドフォン２２とが接続されている携帯電話機（携帯情報端末）２０、ＩＣタグ４１が記憶している固有の番号に対応する情報を記憶している検索解析装置１０、検索解析装置１０に固有番号情報を登録する登録用端末３０、および携帯電話機２０と検索解析装置１０と登録用端末３０とを接続する通信ネットワーク５０を含む。なお、携帯情報端末としての携帯電話機２０とＩＣタグ読取機２１との代わりに、ＩＣタグ４１が送信した情報を受信し、通信ネットワーク５０を介して検索解析装置１０と情報を送受信する専用端末２３を含んでもよい。なお、ＩＣタグ４１が記憶している固有番号情報として、ＩＣタグ４１の固有の番号を例示しているが、ＩＣタグ４１の固有な文字列の情報であればよく、本発明においてＩＣタグ４１が記憶している情報は番号に限定されるものではない。
【００１８】
携帯電話機２０または専用端末２３は、携帯電話機２０または専用端末２３の使用者の操作に応じて、携帯電話機２０または専用端末２３の利用者であるユーザの情報であるユーザ情報を、通信ネットワーク５０を介して検索解析装置１０に送信する。ユーザ情報は、例えば、携帯電話機２０または専用端末２３の携帯電話番号等である装置固有アドレス情報と、携帯情報端末２０または専用端末２３に出力させる音声の言語を示す情報とを含む。登録用端末３０は、登録用端末３０の使用者の操作に応じて、ユーザ情報およびユーザ情報の変更または削除を示す情報を通信ネットワーク５０を介して検索解析装置１０に送信してもよい。なお、携帯電話機２０、専用端末２３および登録用端末３０の使用者には健常者を想定しており、携帯電話機２０および専用端末２３の利用者であるユーザには視覚障害者を想定している。
【００１９】
携帯電話機２０は、ＩＣタグ読取機２１がＩＣタグ４１が送信した固有番号情報を受信すると、ＩＣタグ読取機２１が受信した固有番号情報と装置固有アドレス情報とを検索解析装置１０に通信ネットワーク５０を介して送信する。また、携帯電話機２０は、検索解析装置１０から通信ネットワーク５０を介して受信した音声を、ヘッドフォン２２を介して出力する。
【００２０】
図２は、検索解析装置１０の一構成例を説明するブロック図である。検索解析装置１０は、通信ネットワーク５０を介して情報を受信する入力部１１、入力部１１が受信した情報を処理するデータ処理部１２、情報を記憶する記憶部１３、およびデータ処理部１２が情報を処理した結果を通信ネットワーク５０を介して送信する出力部１４を含む。データ処理部１２は、記憶部１３が記憶している情報を検索する情報検索部１２２、入力部１１が受信した情報に応じて、例えば、情報を情報検索部１２２に出力する利用要求受理部１２１、およびデータ処理部１２の各部を制御する中央処理部１２３を含む。記憶部１３は、ユーザ情報を記憶するユーザ情報記憶部１３１、固有番号情報を記憶する固有番号情報記憶部１３２、固有番号情報とユーザに提供する情報である提供情報とを対応づけて記憶する情報記憶部１３３、および提供情報を音声情報に変換する変換手法を記憶している音声変換手法記憶部１３４を含む。なお、提供情報を音声情報に変換する変換手法は、例えば、公知の機械翻訳および合成音声生成の手法である。
【００２１】
検索解析装置１０の入力部１１は、通信ネットワーク５０を介して携帯電話機２０または専用端末２３からユーザ情報を受信すると、利用要求受理部１２１にユーザ情報を出力し、利用要求受理部１２１は、ユーザ情報を中央処理部１２３に出力し、中央処理部１２３は、ユーザ情報を記憶部１３のユーザ情報記憶部１３１に記憶させる。また、検索解析装置１０の入力部１１は、通信ネットワーク５０を介して登録用端末３０からユーザ情報およびユーザ情報の変更または削除の要求を示す情報を受信すると、利用要求受理部１２１にユーザ情報およびユーザ情報の変更または削除の要求を示す情報を出力し、利用要求受理部１２１は、ユーザ情報およびユーザ情報の変更または削除の要求を示す情報を中央処理部１２３に出力し、中央処理部１２３は、記憶部１３のユーザ情報記憶部１３１が記憶しているユーザ情報の変更または削除を行う。なお、登録用端末３０は、通信ネットワーク５０を介して固有番号情報と提供情報とを対応づけて検索解析装置１０に送信してもよい。そして、検索解析装置１０では、入力部１１が固有番号情報と提供情報とを受信すると、利用要求受理部１２１に固有番号情報と提供情報とを出力し、利用要求受理部１２１は、固有番号情報と提供情報とを中央処理部１２３に出力し、中央処理部１２３は、固有番号情報と提供情報とを記憶部１３の情報記憶部１３３に対応づけて記憶させる。また、中央処理部１２３は、固有番号情報を、記憶部１３の固有番号情報記憶部１３２に記憶させる。なお、検索解析装置１０は、登録用端末３０から通信ネットワーク５０を介して提供情報を受信すると、検索解析装置１０の中央処理部１２３は、固有番号情報記憶部１３２を検索して、固有番号の空き番号を提供情報と対応づけて情報記憶部１３３に記憶させてもよい。そして、中央処理部１２３は、提供情報と対応づけて情報記憶部１３３に記憶させた固有番号を、固有番号情報記憶部１３３に記憶させてもよい。
【００２２】
検索解析装置１０の入力部１１は、通信ネットワーク５０を介して携帯電話機２０または専用端末２３から固有番号情報と装置固有アドレス情報とを受信すると、利用要求受理部１２１に固有番号情報と装置固有アドレス情報とを出力し、利用要求受理部１２１は、固有番号情報と装置固有アドレス情報とを情報検索部１２２に出力する。情報検索部１２２は、利用要求受理部１２１が出力した固有番号情報に対応づけられた提供情報を情報記憶部１３３から読み出して、中央処理部１２３に出力する。また、情報検索部１２２は、利用要求受理部１２１が出力した装置固有アドレス情報を含むユーザ情報をユーザ情報記憶部１３１から読み出し、ユーザ情報が含む携帯情報端末２０または専用端末２３に出力させる音声の言語を示す情報にもとづいて、音声変換手法記憶部１３４から、提供情報を音声情報に変換する変換手法を特定し、特定した変換手法を中央処理部１２３に出力する。中央処理部１２３は、情報検索部１２２が特定した変換手法にもとづいて、提供情報を音声情報に変換し、変換した音声情報と提供情報とを出力部１４に出力する。出力部１４は、通信ネットワーク５０を介して音声情報と提供情報とを携帯電話機２０または専用端末２３に送信する。
【００２３】
提供情報は、例えば、点字による案内板を設置している位置を示す情報であったり、点字シート４０に点字で記載されている内容の情報であったり、点字シート４０や点字による案内板に点字で記載されている情報を補足する内容の情報であったりする。
【００２４】
検索解析装置１０は、コンピュータに、携帯情報端末（携帯電話機２０または専用端末２３）から、携帯情報端末（ＩＣタグ読取機２１または専用端末２３）が受信した固有の番号を受信させる処理と、携帯情報端末（携帯電話機２０または専用端末２３）から固有の番号を受信すると、固有の番号に対応づけられた提供情報を音声情報に変換して携帯情報端末（携帯電話機２０または専用端末２３）に送信させる処理とを実行させることを特徴とする点字内容照会プログラムを搭載している。
【００２５】
次に、本発明の実施の形態の動作について図面を参照して説明する。図３は、検索解析装置１０のユーザ情報記憶部１３１にユーザ情報を記憶させる際の動作を説明するフローチャートである。図４は、検索解析装置１０のユーザ情報記憶部１３１にユーザ情報を記憶させる際に、携帯電話機２０または専用端末２３の表示部（図示せず）に表示させる画面の例を示す説明図である。
【００２６】
携帯電話機２０または専用端末２３の使用者は、携帯電話機２０または専用端末２３を操作して、通信ネットワーク５０を介して検索解析装置１０に接続させる（ステップＳ１０１）。携帯電話機２０または専用端末２３は、検索解析装置１０に接続するとき、携帯電話番号等の装置固有アドレス情報を検索解析装置１０に送信する。検索解析装置１０では入力部１１が装置固有アドレス情報を受信すると、受信した装置固有アドレス情報を中央処理部１２３に出力する。中央処理部１２３は、図４（ａ）の例に示す画面を表示させる情報を出力部１４と通信ネットワーク５０とを介して携帯電話機２０または専用端末２３に送信する。携帯電話機２０または専用端末２３は、図４（ａ）の例に示す画面を表示する。
【００２７】
携帯電話機２０または専用端末２３の使用者は、携帯電話機２０または専用端末２３の利用者であるユーザに応じて言語を選択する（ステップＳ１０２）。携帯電話機２０または専用端末２３の使用者が、図４（ａ）の例に示す画面に従って、日本語以外の言語の選択を要求（「いいえ」を選択）すると、携帯電話機２０または専用端末２３は、日本語以外の言語の選択の要求を示す情報を検索解析装置１０に送信する。検索解析装置１０では入力部１１が日本語以外の言語の選択の要求を示す情報を受信すると、受信した日本語以外の言語の選択の要求を示す情報を中央処理部１２３に出力する。中央処理部１２３は、図４（ｂ）の例に示す画面を表示させる情報を出力部１４と通信ネットワーク５０とを介して携帯電話機２０または専用端末２３に送信する。携帯電話機２０または専用端末２３は、図４（ｂ）の例に示す画面を表示する。
【００２８】
携帯電話機２０または専用端末２３の使用者が、図４（ａ）または図４（ｂ）の例に示す画面に従って言語を選択すると、携帯電話機２０または専用端末２３は、選択した言語を示す情報を通信ネットワーク５０を介して検索解析装置１０に送信する。検索解析装置１０では、入力部１１が言語を示す情報を受信すると、受信した言語を示す情報を中央処理部１２３に出力する。
【００２９】
携帯電話機２０または専用端末２３の使用者が、言語の登録の指示を携帯電話機２０または専用端末２３に入力すると（ステップＳ１０３）、携帯電話機２０または専用端末２３は、言語の登録の指示を検索解析装置１０に送信する。検索解析装置１０では、入力部１１が言語の登録の指示を受信すると、受信した言語の登録の指示を中央処理部１２３に出力する。中央処理部１２３は、言語を示す情報と装置固有アドレス情報とを、ユーザ情報としてユーザ情報記憶部１３１に記憶させる（ステップＳ１０４）。そして、中央処理部１２３は、図４（ｃ）の例に示す画面を表示させる情報を出力部１４と通信ネットワーク５０とを介して携帯電話機２０または専用端末２３に送信する。携帯電話機２０または専用端末２３は、図４（ｃ）の例に示す画面を表示する。
【００３０】
次に、携帯電話機２０または専用端末２３が、検索解析装置１０が記憶している情報を読み出す際の動作について説明する。図５は、携帯電話機２０または専用端末２３が、検索解析装置１０が記憶している情報を読み出す際の動作を説明するフローチャートである。図６は、携帯電話機２０または専用端末２３が、検索解析装置１０が記憶している情報を読み出す際に表示部に表示させる画面の例を示す説明図である。
【００３１】
携帯電話機２０または専用端末２３の利用者であるユーザは、携帯電話機２０または専用端末２３を操作して、通信ネットワーク５０を介して検索解析装置１０に携帯電話機２０または専用端末２３を接続させる（ステップＳ２０１）。携帯電話機２０または専用端末２３は、検索解析装置１０に接続するとき、携帯電話番号等の装置固有アドレス情報を検索解析装置１０に送信する。検索解析装置１０では入力部１１が装置固有アドレス情報を受信すると、受信した装置固有アドレス情報を利用要求受理部１２１に出力する。利用要求受理部１２１は、装置固有アドレス情報を情報検索部１２２に出力する。情報検索部１２２は、装置固有アドレス情報を含むユーザ情報をユーザ情報記憶部１３１から読み出し、ユーザ情報が含む携帯情報端末２０または専用端末２３に出力させる音声の言語を示す情報にもとづいて、音声変換手法記憶部１３４から、提供情報を音声情報に変換する変換手法を特定し、特定した変換手法を中央処理部１２３に出力する。中央処理部１２３は、情報検索部１２２が特定した変換手法にもとづいて、図６（ａ）の例に示す画面が表示している情報を音声情報に変換し、変換した音声情報と、図６（ａ）の例に示す画面の情報とを出力部１４に出力する。出力部１４は、通信ネットワーク５０を介して音声情報と図６（ａ）の例に示す画面の情報とを携帯電話機２０または専用端末２３に送信する。携帯電話機２０または専用端末２３は、図６（ａ）の例に示す画面を表示部に表示し、音声情報をヘッドフォン２２を介して出力する。そして、携帯電話機２０または専用端末２３は待機状態になる（ステップＳ２０２）。
【００３２】
ＩＣタグ読取機２１または専用端末２３が、ＩＣタグ４１が送信した固有番号情報を受信すると（ステップＳ２０３）、携帯電話機２０または専用端末２３は、図６（ｂ）の例に示す画面を表示部に表示し、ヘッドフォン２２を介して図６（ｂ）の例に示す画面を読み上げ、固有番号情報を受信したことをユーザに通知する（ステップＳ２０４）。
【００３３】
ユーザが、情報が必要であると判断し（ステップＳ２０５）、図６（ｂ）の例に示す画面に従って、いずれかのキーを２回押すと、携帯電話機２０または専用端末２３は、装置固有アドレス情報と受信した固有番号情報とを通信ネットワーク５０を介して検索解析装置１０に送信する（ステップＳ２０６）。
【００３４】
検索解析装置１０では、入力部１１が装置固有アドレス情報と固有番号情報とを通信ネットワーク５０を介して受信すると、利用要求受理部１２１に装置固有アドレス情報と固有番号情報とを出力し、利用要求受理部１２１は、装置固有アドレス情報と固有番号情報とを情報検索部１２２に出力する。情報検索部１２２は、利用要求受理部１２１が出力した固有番号情報に対応づけられた提供情報を情報記憶部１３３から読み出して、中央処理部１２３に出力する。また、情報検索部１２２は、利用要求受理部１２１が出力した装置固有アドレス情報を含むユーザ情報をユーザ情報記憶部１３１から読み出し、ユーザ情報が含む携帯情報端末２０または専用端末２３に出力させる音声の言語を示す情報にもとづいて、音声変換手法記憶部１３４から、提供情報を音声情報に変換する変換手法を特定し、特定した変換手法を中央処理部１２３に出力する。中央処理部１２３は、情報検索部１２２が特定した変換手法にもとづいて、提供情報を音声情報に変換し、変換した音声情報と提供情報とを出力部１４に出力する。出力部１４は、通信ネットワーク５０を介して音声情報と提供情報とを携帯電話機２０または専用端末２３に送信する。携帯電話機２０または専用端末２３は、音声情報と提供情報とを受信する（ステップＳ２０７）。
【００３５】
携帯情報端末２０または専用端末２３は、受信した音声情報をヘッドフォン２２を介して出力し、受信した提供情報を表示部に表示する（ステップＳ２０８）。図６（ｃ）は、携帯情報端末２０または専用端末２３が表示部に提供情報を表示する画面の一例である。携帯情報端末２０または専用端末２３は、図６（ｃ）の例の画面で示したように、ユーザがいずれかのキーを押下するまで、ヘッドフォン２２を介して音声情報の出力を繰り返す。ユーザがいずれかのキーを押下すると、携帯情報端末２０または専用端末２３は、音声情報の出力を終了し、固有番号情報の受信待ち状態となる。さらに、ユーザが点字内容紹介システムの利用を終了したい場合は、所定のキー操作を行って、検索解析装置１０との接続を切断したり、携帯情報端末２０または専用端末２３の電源を切断したりする。
【００３６】
以上、述べたように、この実施の形態によれば、提供情報が点字による案内板の位置を示す情報であれば、点字による案内板がどこに設置されているのかを視覚障害者に示すことができ、提供情報が点字シート４０に点字で記載されている内容の情報であれば、点字を知らない視覚障害者や、手袋をしていたり、手にけがをしている視覚障害者に情報を提供することができ、提供情報が点字シート４０や点字による案内板に点字で記載されている情報を補足する内容の情報であれば、点字シート４０や点字による案内板に点字で記載されている情報を補足する情報を視覚障害者に提供することができる。
【００３７】
また、この実施の形態によれば、視覚障害者は点字シート４０に触れることなく提供情報を得ることができるため、点字シート４０を清潔に保つことができる。
【００３８】
さらに、この実施の形態によれば、ＩＣタグ４１を道路上の点字ブロックに取り付けると、点字ブロックの上を歩行する視覚障害者は提供情報を得ることができる。
【００３９】
また、この実施の形態によれば、情報検索部１２２がユーザ情報にもとづいて変換手法を特定し、中央処理部１２３が、情報検索部１２２が特定した変換手法に従って提供情報を音声情報に変換するため、提供情報を外国語の音声に変換することができる。すると、視覚障害者に限らず、日本語を理解することができない外国人も、本発明を利用することにより提供情報を理解することができる。
【産業上の利用可能性】
【００４０】
本発明は、視覚障害者等に音声で情報を提供するシステムに利用することができる。
【図面の簡単な説明】
【００４１】
【図１】本発明の実施の形態の一構成例を説明する説明図である。
【図２】検索解析装置の一構成例を説明するブロック図である。
【図３】検索解析装置のユーザ情報記憶部にユーザ情報を記憶させる際の動作を説明するフローチャートである。
【図４】検索解析装置のユーザ情報記憶部にユーザ情報を記憶させる際に、携帯電話機または専用端末の表示部に表示させる画面の例を示す説明図である。
【図５】携帯電話機または専用端末が、検索解析装置が記憶している情報を読み出す際の動作を説明するフローチャートである。
【図６】携帯電話機または専用端末が、検索解析装置が記憶している情報を読み出す際に表示部に表示させる画面の例を示す説明図である。
【符号の説明】
【００４２】
１０  検索解析装置
１１  入力部
１２  データ処理部
１３  記憶部
１４  出力部
２０  携帯電話機
２１  ＩＣタグ読取機
２２  ヘッドフォン
２３  専用端末
３０  登録用端末
４０  点字シート
４１  ＩＣタグ
５０  通信ネットワーク
１２１  利用要求受理部
１２２  情報検索部
１２３  中央処理部
１３１  ユーザ情報記憶部
１３２  固有番号情報記憶部
１３３  情報記憶部
１３４  音声変換手法記憶部
【図１】
2006030617.tif 000003
【図２】
2006030617.tif 000004
【図３】
2006030617.tif 000005
【図４】
2006030617.tif 000006
【図５】
2006030617.tif 000007
【図６】
2006030617.tif 000008